(57)【要約】【課題】フィルタ清掃装置を搭載してもコンパクトでダストボックスの容量が大きな空気調和機を提供する。【解決手段】後板３の背面側に設けたフイルタ案内板７９と、後板の上部に設けたフイルタ掃除手段と、フイルタ案内板の後方に背面板２と、を備え、後板とフィルタ案内板との間に第１空間８６を有し、フイルタ案内板と背面板の間に第２空間７２を有し、フイルタ掃除手段は、エアフィルタ１０を第１空間へ送ってエアフィルタに付着したゴミを除去する構成とし、第２空間は、前記フィルタ掃除手段にて除去したゴミを下部に落下して集積するダストシュータ７２で構成し、ダストシュータの底面にゴミの排出口１０１を備え、この排出口に着脱自在のダストボックス１００を有し、排出口の上方でダストシュータ内に、ダストボックスを取り外した際にダストシュータを閉じるダンパ６１を備えることでゴミ捨て作業を容易にする。【選択図】図２
2019020074.tif 000002
【特許請求の範囲】
【請求項１】
後板と前面カバーとオープンパネルとを備えた枠体を有し、
前記枠体の上面に吸込口と、
前記枠体の底面に吹出口と、
前記吸込口と吹出口を連通し、前記吸込口から吸い込んだ室内空気を吹出口から送風する送風経路と、
前記送風経路の吸込口内面側に沿って設けたエアフィルタと、
前記エアフィルタと吹出口の間の送風経路に備えた熱交換器と、を有する空気調和機に於いて、
前記後板の背面側に設けたフイルタ案内板と、
前記後板の上部に設けたフイルタ掃除手段と、
前記フイルタ案内板の後方に背面板と、を備え、
前記後板とフィルタ案内板との間に第１空間を有し、
前記フイルタ案内板と背面板の間に第２空間を有し、
前記フイルタ掃除手段は、前記エアフィルタを第１空間へ送ってエアフィルタに付着したゴミを除去する構成とし、
前記第２空間は、前記フィルタ掃除手段にて除去したゴミを下部に落下して集積するダストシュータで構成し、
前記ダストシュータの底面にゴミの排出口を備え、
前記排出口に着脱自在のダストボックスを有し、
前記排出口の上方で前記ダストシュータ内に、前記ダストボックスを取り外した際に前記ダストシュータを閉じるダンパを備えることを特徴とする空気調和機。
【請求項２】
前記エアフィルタの左右端部にラックを備え、
前記フイルタ掃除手段は、
前記ラックに係合してエアフィルタを第１空間側へ送る駆動歯車と、
前記駆動歯車を回転する送りモータと、
前記エアフィルタの表面に付着したゴミを取り除くブラシと、
前記ブラシを回転するブラシモータと、
前記ブラシに付着したゴミを前記ダストシュータ側へ掻き落とすクシ歯部と、を有し、
前記送りモータとブラシモータの回転によって、前記エアフィルタは端部から順にフイルタ掃除手段を通過する際に、フイルタ表面に付着したゴミがブラシで取り除かれ、この取り除かれたゴミはクシ歯部にてダストボックスへ送る構成とすることを特徴とする請求項１に記載の空気調和機。
【請求項３】
前記ダンパは左右端に一対の回転軸を有し、
前記ダストシュータの左右側壁に軸穴を形成し、
前記回転軸を前記軸穴に挿入して回転軸を回動自在に構成し
前記ダストボックスに、前記ダンパと接触する突起を形成し、
前記排出口へのダストボックス装着時には、前記突起がダンパを押し上げてダストシュータが開口し、ダストシュータ内を落下するゴミはダストボックスに溜まり、
前記ダストボックスを取り外した際には、前記突起が外れることで、ダンパが回動して前記ダストシュータを閉じることで、開口した前記排出口からゴミが落下することを防止する構成を備えたことを特徴とする請求項１又は請求項２に記載の空気調和機。
【請求項４】
前記軸穴は前記背面板に形成したダストシュータ側壁Ａと、前記フイルタ案内板に形成したダストシュータ側壁Ｂとの接触部に備えることを特徴とする請求項３に記載の空気調和機。
【発明の詳細な説明】
【技術分野】
【０００１】
この発明は、空気調和機に関するもので、特にエアフィルタの自動清掃機能を供えた空気調和機に関するものである。
【背景技術】
【０００２】
従来、空気調和機に於いては、送風ファンにより吸い込んだ室内空気を、熱交換器に通過させることにより冷却または加熱して室内へと返流させるが、空気中に浮遊する塵埃が熱交換器を汚染するのを防止するため、熱交換器の風上側にエアフィルタが設けられている。このエアフィルタに塵埃が付着して目詰まりが生じ通風抵抗が増大すると、熱交換が妨げられるために空気調和機の空調能力が低下すると共に、消費電力が増大する。このような不都合を解消するため、エアフィルタの自動清掃機能を備えた空気調和機が種々提案されている。
【０００３】
エアフィルタを自動的に清掃する場合、エアフィルタの全面を清掃ブラシで掃除するため、エアフィルタと清掃ブラシとの少なくともいずれか一方を移動させる必要がある。
エアフィルタを移動させる方式では、エアフィルタを移動させる移動経路を備え、この移動経路の途中に配されエアフィルタを移動させる移送手段とを備え、熱交換器の前方側空間に移動経路をＵ字状に折り返して形成し、更に、移動経路に接して回転ブラシと、このブラシで掻き取ったゴミを蓄えるダストボックス等のフィルタ清掃装置を熱交換器の前方側空間に備え、エアフィルタを移動させることによって、フィルタ清掃装置で自動清掃を行うものがある。（例えば、特許文献１参照）
【０００４】
また、清掃手段（清掃ブラシやダストボックス等）をエアフィルタ表面全体に移動させ自動清掃を行うものもある。
また、清掃手段とフィルタ移送手段（フィルタ巻き取り装置等）を外枠内の上部後方でエアフィルタの先端部分に設けて、フィルタ先端を巻き取りながらブラシによって自動清掃を行うものがある。（例えば、特許文献２参照）
【先行技術文献】
【特許文献】
【０００５】
【特許文献１】特許４１７５４０９号公報
【特許文献２】特開２００２−５５０４号公報
【発明の概要】
【発明が解決しようとする課題】
【０００６】
これら従来例の空気調和機では、ダストボックスの容積が小さいためにフイルタ清掃で掻き取ったゴミを貯留する能力も小さいものであり、ダストボックスの容積を拡大するために、ダストボックスの設置スペースを大きく設ければ、空気調和機の全体寸法が大きくなり製造コストの上昇や、美観も損ねる懸念が有る。
また、ダストボックスが小さいとゴミ捨ての回数も多くなり、せっかくフイルタ清掃を自動にしても、これに替わってゴミ捨て作業が発生することで、使用者へのメリットが小さくなるだけでなく、使用者がゴミ捨て作業を行わずに放置し、ダストボックスがゴミでいっぱいになった場合には、溜まったゴミがエアフィルタ側に溢れたり、ブラシに絡まり故障が発生する危険が有る。
また、ダストボックスは空気調和機の内部に収納されており、ゴミ捨ての作業を行うには前面を覆うカバー等を開いて取り外す必要が有り、室内の比較的高い場所に設置されるこの種の空気調和機では踏み台を使用した難易度の高い作業になり、よりゴミ捨ての作業を簡単にすることが求められていた。
【課題を解決するための手段】
【０００７】
上記課題を解決するために、特にその構成を、後板と前面カバーとオープンパネルとを備えた枠体を有し、前記枠体の上面に吸込口と、前記枠体の底面に吹出口と、前記吸込口と吹出口を連通し、前記吸込口から吸い込んだ室内空気を吹出口から送風する送風経路と、前記送風経路の吸込口内面側に沿って設けたエアフィルタと、前記エアフィルタと吹出口の間の送風経路に備えた熱交換器と、を有する空気調和機に於いて、前記後板の背面側に設けたフイルタ案内板と、前記後板の上部に設けたフイルタ掃除手段と、前記フイルタ案内板の後方に背面板と、を備え、前記後板とフィルタ案内板との間に第１空間を有し、前記フイルタ案内板と背面板の間に第２空間を有し、前記フイルタ掃除手段は、前記エアフィルタを第１空間へ送ってエアフィルタに付着したゴミを除去する構成とし、前記第２空間は、前記フィルタ掃除手段にて除去したゴミを下部に落下して集積するダストシュータで構成し、前記ダストシュータの底面にゴミの排出口を備え、前記排出口に着脱自在のダストボックスを有し、前記排出口の上方で前記ダストシュータ内に、前記ダストボックスを取り外した際に前記ダストシュータを閉じるダンパを備えるようにしたものである。
【発明の効果】
【０００８】
この発明によれば、フイルタ案内板と背面板の間の空間にダストシュータを備え、ダストシュータ下部に取り除いたゴミを集積することで、大きなゴミ溜め空間を確保でき、空気調和機の全体寸法も比較的小さくでき、美観も向上できる。
また、大きなゴミ溜め空間を確保することで、ゴミ捨て作業の回数も少なくすることができ、ゴミが充満することが原因で発生するゴミの漏出や故障を防止できる。
また、ダストボックスを室内機の底面から直接取り外すことができるのでゴミ捨ての作業が極めて簡単にできる。
また、ゴミ捨ての際にダストボックスを引き抜いてゴミの排出口が開口したときに、ダストシュータ内に残るゴミが排出口から室内へ落下することを防止できる。
【図面の簡単な説明】
【０００９】
【図１】この発明一実施例の斜視図。
【図２】同全体の断面図。
【図３】同展開斜視図。
【図４】同ユニット枠の平面図。
【図５】同ユニット枠の右側面図。
【図６】同図４に示すＡ−Ａ断面図。
【図７】同ブラシの正面図。
【図８】同フィルタ駆動部の正面図。
【図９】同モータユニットの展開斜視図。
【図１０】同背面板の正面図。
【図１１】同図１０に示すＢ−Ｂ断面図。
【図１２】同フィルタ案内板の正面図。
【図１３】同フィルタ案内板の右側面図。
【図１４】同後板の斜視図。
【図１５】同後板の断面図。
【図１６】同前面カバーの斜視図。
【図１７】同前面カバーの断面図。
【図１８】同エアフィルタの正面図。
【図１９】同ダンパの斜視図。
【図２０】同ダストボックスの斜視図。
【図２１】同ダストボックスを取り外す状態の拡大断面図。
【図２２】同制御回路の略図。
【発明を実施するための形態】
【００１０】
次に、この発明の空気調和機の実施の形態で、フィルタ清掃機能を組み込んだ構成について、図面を基に説明する。１はセパレート式空気調和機の室内機で、背面板２と後板３と前面カバー４とオープンパネル５で枠体６を形成し、前記前面カバー４の前面に位置する前記オープンパネル５上部左右に設けた支軸（図示せず）を支点として前面カバー４の前方へ開閉自在に取付られる。
【００１１】
前記前面カバー４の上面には横長格子状の吸込口７を備え、前面カバー４の下方から底面には斜め前方に温度調節された空気を吹き出す横長の吹出口８を設け、吸込口７から吹出口８の間に送風経路９を形成している。この送風経路９の前記吸込口７内側には、吸込空気内に混在するゴミを取り除く左右一対のエアフィルタ１０を有し、このエアフィルタ１０の更に内側（下流側）には、横長のフィンチューブ式の熱交換器１１を有し、その前後方向の中間部を頂部として側面視で逆Ｖ字状に配置されている。また前記熱交換器１１の下方には横長のクロスフローファンから成る送風ファン１２を、前記吹出口８には運転時に上下方向の吹出風の風向を調整すると共に、停止時には自動的に吹出口８を閉じる上下風向板１３と左右方向の吹出風の風向を調整する左右風向板１４を有している。
【００１２】
１５はブラシユニットで、横長格子状の縦枠１６と横枠１７で前記吸込口７を形成するユニット枠１８の先端にエアフィルタ１０の掃除を自動で実施するためのブラシ１９と、エアフィルタ１０を背面側に移動させるフィルタ駆動部２０を有している。また、前記ユニット枠１８は後ろ側の両端に突出する左右端部２１を有し、この左右端部２１にそれぞれブラシ取付孔２２を形成し、このブラシ取付孔２２にブラシ１９の回転軸２３を挿入することでブラシ１９はブラシ取付孔２２を中心に回転する。また、前記左右端部２１のブラシ取付孔２２よりも前方で左右外側には一対のスライド突起２４を有し、ブラシユニット１５着脱時のガイドとして使用する。また、縦枠１６の前端外側には左右一対の係止突起２５を有し、ブラシユニット１５装着時のストッパとして使用する。また前記縦枠１６のスライド突起２４よりも更に前方にはフィルタ駆動部取付孔２６を備えている。また、左右の縦枠１６の内側面にはエアフィルタ１０が移動する際にガイドの役目をするスライド溝２７を備えている。また、前記ブラシ１９の両端にはブラシ１９の回転力を伝えるブラシ歯車２８を有している。
【００１３】
前記フィルタ駆動部２０はアルミニューム製の棒から成る駆動軸２９と、この駆動軸２９の両端に貫通固定した一対の駆動歯車３０を有する。また駆動歯車３０よりも外側に駆動軸２９が突出してフィルタ駆動部取付孔２６に挿入することでフィルタ駆動部２０はフィルタ駆動部取付孔２６を中心に回転する。
【００１４】
４０はモータユニットで前記ブラシ１９の駆動源となるブラシモータ４１と、フィルタ駆動部２０の駆動源となる送りモータ４２を有している。このブラシモータ４１と送りモータ４２は正逆回転可能なステップモータを使用し、制御部４３からの信号に応じてブラシ１９とフィルタ駆動部２０を作動してエアフィルタ１０の自動掃除を行う。
【００１５】
４４はモータ取付板で、右側の面にブラシモータ４１と送りモータ４２をネジ止めし、モータ軸４５・４６と左側の面に備えた連動ギア４７・４８をモータ取付板４４の貫通孔４９・５０で貫通して接続する。５１はギアカバーで、前記連動ギア４７・４８を覆うと共に軸孔５２・５３を備え、前記貫通孔４９・５０と軸孔５２・５３の間に連動ギア４７・４８を回動自在に保持する。また、ギアカバー５１はモータ取付板４４の端部に設けた爪部５４と係止部５５で係止してモータ取付板４４に取り付ける。また、モータユニット４０は前記背面板２の上部左右端にネジ止めするための固定孔５６を有している。また、モータユニット４０は１つのエアフィルタ１０に対して１セット備えられ、エアフィルタ１０の上部右側にそれぞれ配置される。
【００１６】
前記背面板２は室内機１の最後部を構成し、背面上部には室内の壁面に取り付けるための据付板（図示せず）に係止する係止手段として係止凹部７０と、背面下部には据付板に爪引っ掛けで固定するための爪部７１を有している。また、背面板２の前面側には前記ブラシユニット１５とモータユニット４０側から落下してくるゴミを下方に送るダストシュータ７２（第２空間）を背面板２の前方に左右一対有している。
７３は背面板２の左右に備える前記ダストシュータ７２の後面で、左側のダストシュータ７２に対応する左側後面７３Ｌと、右側のダストシュータ７２に対応する右側後面７３Ｒを備え、この後面７３Ｌ・Ｒのそれぞれ左右から前方側に垂直に立設するダストシュータ側壁Ａ７４を有している。７５は前記外枠６の左側側面の一部を構成する左側外枠。また、前記据付板の上部には左右一対の舌片（図示せず）を備え、前記係止凹部７０に挿入することで、背面板２の上部を係止する。また、据付板の下部には前方に左右一対の係止片（図示せず）を前方に突出し、係止することで背面板２の下部を据付板に固定する。
【００１７】
前記左側後面７３Ｌと右側後面７３Ｒの間で背面板２の略中央上部には、左側のダストシュータ７２に対応し、前記モータユニット４０を取り付ける左モータユニット取付部７６を備え、この左モータユニット取付部７６に形成したモータユニット取付穴６０にモータユニット４０の前記固定孔５６にネジ止め固定する。また、右側のダストシュータ７２の右側上部で右側外枠７７との間には右モータユニット取付部７８が設けられ同様にモータユニット４０をネジ止め固定する。また、前記ダストシュータ７２の略中央には前記後面７３から２つの円柱が立設され、フィルタ案内板７９を固定する固定用円柱８０を有している。また、前記ダストシュータ側壁Ａ７４の下部にはダストシュータ７２の開閉を行うダンパ６１の回転軸６２を取り付ける凹部６３を備えている。
【００１８】
前記フィルタ案内板７９の中央稍上部には前記背面板２の固定用円柱８０に対向して固定孔８１を備え、フィルタ案内板７９を背面板２にネジ止め固定する。また、フィルタ案内板７９の背面は前記ダストシュータ７２（第２空間）の前面８２を形成し、この前面８２と後面７３の間をゴミが落下する。
【００１９】
８３は前記フィルタ案内板７９の上端に平行に備えたクシ歯で、クシ歯８３の先端がブラシ１９に食い込んで、ブラシ１９で掻き取ったエアフィルタ１０のゴミをブラシ１９から分離してダストシュータ７２側へ落とすようにはたらく。クシ歯８３は先端をブラシ１９の回転軸２３の方向に向かって突出し、ブラシ１９の毛量や剛性に応じてブラシ１９の食い込み量を、ブラシ１９とクシ歯８３の距離を可変して調整できる。
【００２０】
８４はダストシュータ側壁Ｂで、前記背面板２方向と後板３方向の両方向に突出し、
背面板２へのフィルタ案内板７９の組み付けでは前記ダストシュータ側壁Ａ７４の外側に接触してフィルタ案内板７９の位置決め用ガイドのはたらきをする。また、ダストシュータ側壁Ｂ８４の下部には、前記背面板２の凹部６３に対向する凹部６４を形成する。これによって、前記凹部６３と前記凹部６４にて前記ダンパ６１の回転軸６２の軸穴６５を形成し、この軸穴６５を中心にダンパ６１が回動することでダストシュータ７２の開閉を行う。また、前記ダストシュータ側壁Ｂ８４は後板３方向にＬ字形に突出することで、フイルタ清掃の際にエアフィルタ１０の左右端がスライドする案内溝８５を有している。また、フイルタ清掃の際には後板３とフィルタ案内板７９の間の空間であるフィルタ経路８６（第１空間）内をエアフィルタ１０が上下方向に摺動する。
【００２１】
前記後板３の上部にはブラシユニット１５取り付け用のコの字形上面開口部８７を２つ備え、この上面開口部８７の左右内側面にはブラシユニット１５のスライド突起２４を案内する溝８８を有する。８９は後部ドレンパンで、上方に前記熱交換器１１の後部が配置され、冷房運転時には熱交換器１１後部から発生する結露水を集積排水する。９０はケーシングで、前方には所定の空間を隔てて前記送風ファン１２を備えている。送風ファン１２は横長円柱状で多数の羽根を有するクロスフロー型のファンで、ケーシング９０の左側面９１に取り付ける軸受け（図示せず）と、ケーシング９０の右側面９２の右側に取り付けられる送風モータ９３の回動軸９４との間で垂直方向に回転する。９５は左右端部と中央の上下等に備える取付孔で、背面板２に立設した取付リブ９６等に取付孔９５を貫通してネジ止め固定する。９７は後板３上面の左右に備えた一対の前面カバー取付片で、先端部には上方向に係止用の突起９８を有している。
【００２２】
９９は前部ドレンパンで、上方に前記熱交換器１１の前部が配置され、冷房運転時には熱交換器１１前部から発生する結露水を集積排水する。また、前部ドレンパン９９の左右端には取付脚（図示せず）を備え、この取付脚を後板３に嵌め込んで取り付けられる。
【００２３】
１００はダストボックスで、後板３の底面で前記ダストシュータ７２の下部に備えるゴミ排出口１０１に下方から着脱自在に取り付ける。１０２は前記ダストボックス１００の側板で、この側板１０２から上方向へ突出し、前記ダンパ６１を押し上げる突起１０３を有する。前記排出口１０１へのダストボックス１００装着時には、前記突起１０３がダンパ６１を押し上げてダストシュータ７２が開口し、ダストシュータ７２内を落下するゴミはダストボックス１００に溜まり、ゴミ捨て作業のためにダストボックス１００を図２１で示した様に取り外した際には、前記突起１０３がダンパ６１から離れることで、ダンパ６１が自重により回動して前記ダストシュータ７２を閉じることで、開口した前記排出口１０１からゴミが落下することを防止する。尚、ダンパ６１に閉方向に付勢するバネ等を弾設しても良い。これによって、ダストボックス１００を取り外したときの振動等でダストシュータ７２上部に停滞していたゴミが排出口１０１から落下して室内を汚すことを防止できる。また、ダストボックス１００はエアフィルタ１０の自動掃除で発生したゴミを数ヶ月から１年の間蓄えることのできる充分な容積を備えている。１０４は後板３下部の左右端に一対設けた前面カバー取付孔で、前面カバー４の下部をネジ止め固定する。
【００２４】
前記前面カバー４は左側板１１０と右側板１１１の間の上面を繋ぐ上フレーム１１２と、底面を繋ぐ下フレーム１１３と、前面中央より稍下方を繋ぐ前フレーム１１４と、左右方向の略中央で上フレーム１１２と前フレーム１１４を垂直に接続する中央フレーム１１５とを備えている。左側板１１０と中央フレーム１１５の上部内側には、後板３の溝８８と連続する溝１１６と、この溝１１６の前方にコの字型係止部１１７とを有し、この溝８８・１１６によってブラシユニット１５のスライド突起２４を案内し、ブラシユニット１５が最後部に突き当たった状態で下方に引き下ろすことで、ブラシユニット１５の係止突起２５がコの字型係止部１１７に嵌り込み、ブラシユニット１５をセットすることができる。
【００２５】
１１８は前記溝１１６の下方に備えたフィルタ溝で、ブラシユニット１５のスライド溝２７に連続して接続され、前記エアフィルタ１０の左右端部を保持する。フィルタ溝１１８の下端にはフィルタ挿入部１１９を備え、方形状で柔軟性を有するエアフィルタ１０をフィルタ挿入部１１９からエアフィルタ１０の先端がブラシ１９とフィルタ駆動部２０まで差し込むとエアフィルタ１０の通常状態（空気調和機運転時の位置）にセットされる。１２０は左側板１１０と右側板１１１の上面に貫通して設けた取付孔で、前記後板３の前面カバー取付片９７先端の突起９８が係止して前面カバー４上部を固定する。前面カバー４上部を係止後に前面カバー４下部を下部取付孔（図示せず）で後板３にネジ止め固定する。前フレーム１１４と下フレーム１１３の間には前記吹出口８が形成され吹出口８の左右方向の略中央には前フレーム１１４と下フレーム１１３を垂直に補強する補強フレーム１２１を備え、吹出口８下部の下フレーム１１３には回動自在に取り付けられた左右風向板１２２を有している。また、吹出口８の側壁には回動自在に上下風向板１２３を有している。
【００２６】
前記エアフィルタ１０は方形状で多数の縦桟１２４と横桟１２５に、樹脂製の網１２６を溶着して設けられ、両端の縦桟１２４にはフィルタ駆動部２０の駆動歯車３０と噛み合うラック１２７を有している。フィルタ清掃時には駆動歯車３０の回転によりエアフィルタ１０が駆動歯車３０とブラシ１９の間を通過してフィルタ案内板７９の方向に送られる。また、駆動歯車３０とブラシ１９の間を通過する際にはエアフィルタ１０の表面に付着したゴミをブラシ１９で除去する。フィルタ掃除手段は前記ラック１２７に係合してエアフィルタ１０をフイルタ案内板７９側へ送る駆動歯車３０と、駆動歯車３０を回転する送りモータ４２とエアフィルタ１０の表面に付着したゴミを取り除くブラシ１９と、ブラシ１９を回転するブラシモータ４１と、ブラシ１９に付着したゴミをダストシュータ７２側へ掻き落とすクシ歯部８３で構成される。
【００２７】
前記オープンパネル５は、前面カバ−４の上部左右両端に備えた一対の係止軸（図示せず）に対向して係止部（図示せず）を中心に回動自在に設け、オープンパネル５の下部両端は前面カバ−４の前フレーム１１４に係止して固定される。
【００２８】
前記制御部４３は入力側には運転スイッチ（図示せず）やタイマースイッチ（図示せず）等のスイッチ類を備えた操作部１２８と、室温センサ１２９と、湿度センサ１３０と、熱交センサ１３１や、前記フィルタ案内板７９のフィルタ経路８６（第１空間）に装着され、エアフィルタ１０の位置を検知するフイルタセンサ１３２等が接続されている。また、制御部４３の出力側には前記送風モータ９３や、熱源機である室外機（図示せず）と接続する室外信号線１３３や、左右に２セット備えたブラシモータ４１、送りモータ４２等が接続されている。フイルタセンサ１３２は押圧式のマイクロスイッチでエアフィルタ１０の先端がフィルタ経路８６の終端へ到達することを検知する。
【００２９】
室内機１の組立手順について説明する。まず、背面板２の左モータユニット取付部７６と右モータユニット取付部７８にモータユニット４０をそれぞれ組み込んでネジ止めする。次に、ダストシュータ側壁Ａ７４の凹部６３に左右一対のダンパ６１の回転軸６２をセットする。次に、背面板２の固定用円柱８０にフィルタ案内板７９の固定孔８１で２か所ネジ止めして、背面板２の前方にフィルタ案内板７９を固定する。それによって、背面板２に形成したダストシュータ側壁Ａ７４の凹部６３と、フィルタ案内板７９に形成したダストシュータ側壁Ｂ８４の凹部６４が対向して接することによって形成した軸穴６５内を回転軸６２が回動可能に構成する。
【００３０】
次に、フィルタ案内板７９の更に前方に後板３を取り付ける。背面板２に立設した取付リブ９６に後板３の取付孔９５を貫通して６か所ネジ止め固定することで後板３が背面板２に固定される。次に、ケーシング９０の前方で左側面９１と右側面９２の間に送風ファン１２が位置するように軸受けや送風モータ９３と共に固定する。次に、前部ドレンパン９９を送風ファン１２の前方に取り付けた後に、熱交換器１１を前部ドレンパン９９と後部ドレンパン８９を跨いで取り付ける。また、後板３底面のゴミ排出口１０１に下方からダストボックス１００を取り付ける。それによって、ダストボックス１００に備えた突起１０３がダンパ６１を押し上げてダストシュータ７２を開口しブラシ１９側から落下するゴミはダンパ６１を通過してダストボックス１００に集積する。
【００３１】
次に、前面カバー４の後板３への取付を説明する。まず、後板３の左右上端に備えた前面カバー取付片９７の突起９８を、前面カバ−４の左右上端に備えた取付孔１２０に係止する。次に、取付孔１２０の係止状態で前面カバー４の全体を回動して前面カバー４を後板３に密着させ、前面カバー４の下部両端に一対備えた取付孔（図示せず）を貫通して後板３の前面カバー取付孔１０４にネジ止め固定する。
【００３２】
次に、ブラシユニット１５を前面カバー４の前方から左右に備えたスライド突起２４を前面カバー４の溝１１６に沿って後方へスライドさせ、溝１１６から連なる後板３の溝８８に案内し、ブラシユニット１５が最後部に突き当たった状態で下方に引き下ろすことで、ブラシユニット１５の係止突起２５が前面カバー４のコの字型係止部１１７に嵌り込み、ブラシユニット１５がセットされる。
【００３３】
次に、エアフィルタ１０をフィルタ挿入部１１９から挿入する。エアフィルタ１０の先端はフイルタ溝１１８からユニット枠１８のスライド溝２７を経由してブラシ１９とフィルタ駆動部２０位置に突き当たってエアフィルタ１０のセットが完了する。この位置が室内機の通常運転時のフィルタ位置になる。次に、オープンパネル５を前面カバ−４の上フレーム１１２と前フレーム１１４に係止して取り付ければ室内機１の組立が完了する。
【００３４】
エアフィルタ１０の自動掃除運転の作動について説明する。室内機が空調運転を行うとエアフィルタ１０には室内に漂う空気中のゴミが吸込空気に混じって集積する、運転時間が長くなれば集積するゴミが多くなることで送風経路９を通過する風量が低下し、熱交換器１１の熱交換効率が低下する前にエアフィルタ１０の掃除が必要になる。制御部４３で運転積算時間やその他掃除のタイミングを決定してエアフィルタ１０の自動掃除運転を開始する。ブラシモータ４１と送りモータ４２が回転を開始し、各モータの回転力がブラシ歯車２８と駆動歯車３０に伝わり、ブラシ１９とフィルタ駆動部２０が回転を開始する。フィルタ駆動部２０の回転によってエアフィルタ１０のラック１２７が噛み合い、エアフィルタ１０が後方のフィルタ経路８６（第１空間）側に徐々に引き込まれる。これと一緒にブラシ１９が回転してエアフィルタ１０の上面側に集積したゴミを取り除く。ブラシ１９に付着したゴミはフィルタ案内板７９のクシ歯８３によってダストシュータ７２側に圧縮して掻き落とされ、ダストシュータ７２内を落下しダストボックス１００に集積する。
【００３５】
エアフィルタ１０の先端がフィルタ経路８６の下端に備えたフィルタセンサ１３２の位置に到達することで、送りモータ４２が逆回転に反転し、エアフィルタ１０は前面カバー４のフィルタ挿入部１１９側に戻っていく、この時ブラシモータ４１は正回転のまま回転を続けることでブラシ１９やクシ歯８３のゴミが逆戻りすることはない。このようなエアフィルタ１０の往復動作（掃除動作）を数回繰り返せば、エアフィルタ１０に集積するゴミを取り除き確実にきれいにできる。そして、次回の自動掃除のタイミングが訪れるまで通常の空調運転を行うことを繰り返す。自動掃除運転の間隔は積算時間だけでなく、単純に時刻や曜日など色々に設定できる。また、操作部１２８やリモコン（図示せず）に手動掃除ボタンを設ければ、使用者が手動で掃除運転を行うことができる。ダストボックス１００に溜まったゴミは後板３のゴミ排出口１０１からダストボックス１００を下方に取り外して行う。ゴミ捨て作業のためにダストボックス１００を取り外した際には、突起１０３がダンパ６１から離れることで、ダンパ６１が自重により回動してダストシュータ７２を閉じることで、開口した排出口１０１からゴミが落下することを防止する。これによって、ダストボックス１００を取り外したときの振動等でダストシュータ７２上部に停滞していたゴミが排出口１０１から落下して室内を汚すことを防止できる。
【００３６】
このようにすることで、ゴミ捨て作業は数ヶ月または１年に１回等必要に応じて行われるが、ダストシュータ１００下部に取り除いたゴミを集積し、大きなゴミ溜め空間を確保でき、空気調和機の全体寸法も比較的小さくでき、美観も向上できる。また、大きなゴミ溜め空間を確保することで、ゴミ捨て作業の回数も少なくすることができ、ゴミが充満するすることが原因で発生するゴミの漏出や故障を防止できる。
【００３７】
また、ダストボックス１００を室内機の底面から直接取り外すことができるのでゴミ捨ての作業が極めて簡単にできる。また、ゴミ捨ての際にダストボックスを引き抜いてゴミの排出口１０１が開口したときに、ダストシュータ７２内に残るゴミが排出口から室内へ落下することを防止できる。また、ダンパ６１の軸穴６５は、背面板２に形成したダストシュータ側壁Ａ７４と、フイルタ案内板７９に形成したダストシュータ側壁Ｂ８４との接触部（凹部６３と凹部６４）を備えることで、組立作業が容易になり、金型費等の製造コストも少なくすることができる。
【００３８】
また、エアフィルタ１０がブラシ１９とフイルタ駆動２０の間を通過する前後の変形角度も比較的小さいのでエアフィルタ１０を痛めることも少なくなり、これによってエアフィルタ１０が切れたり破れたりする故障も少なくすることができる。また、フィルタ案内板７９を背面板２と後板３の間に設けることで、フイルタ経路８６を確実に確保することで自動掃除運転時のエアフィルタ１０の移動を極めてスムーズに行うことができる。
【符号の説明】
【００３９】
２    背面板
３    後板
４    前面カバー
５    オープンパネル
１０    エアフィルタ
１１    熱交換器
１２    送風ファン
１５    ブラシユニット
１９    ブラシ
２０    フィルタ駆動部
４０    モータユニット
６１    ダンパ
６２    回転軸
６３    凹部
６４    凹部
６５    軸穴
７０    係止凹部（係止手段）
７２    ダストシュータ（第２空間）
７４    ダストシュータ側壁Ａ
７９    フィルタ案内板
８４    ダストシュータ側壁B
８６    フィルタ経路（第１空間）
１００    ダストボックス
１０１    ゴミ排出口
１０３    突起
【図１】
2019020074.tif 000003
【図２】
2019020074.tif 000004
【図３】
2019020074.tif 000005
【図４】
2019020074.tif 000006
【図５】
2019020074.tif 000007
【図６】
2019020074.tif 000008
【図７】
2019020074.tif 000009
【図８】
2019020074.tif 000010
【図９】
2019020074.tif 000011
【図１０】
2019020074.tif 000012
【図１１】
2019020074.tif 000013
【図１２】
2019020074.tif 000014
【図１３】
2019020074.tif 000015
【図１４】
2019020074.tif 000016
【図１５】
2019020074.tif 000017
【図１６】
2019020074.tif 000018
【図１７】
2019020074.tif 000019
【図１８】
2019020074.tif 000020
【図１９】
2019020074.tif 000021
【図２０】
2019020074.tif 000022
【図２１】
2019020074.tif 000023
【図２２】
2019020074.tif 000024